(57)【要約】【課題】  ２層光ディスクにおいて、各層のデータ容量が異なる光ディスクを提供すること。【解決手段】  本発明の光ディスクは、再生または記録用の光入射面が同一である第１と第２の２つの情報記録層を有した光ディスクであって、前記第１の情報記録層は、光入射表面から略ｔの位置に存在し、前記第２の情報記録層は、光入射表面から略ｔ’の位置に存在し、ｔ’≦０．５ｔの関係を有し、前記第１の情報記録層のデータ容量より、前記第２の情報記録層のデータ容量の方が大きい。例えば、光入射面からｔに位置する第１の情報記録層１０２と、光入射面からｔ’に位置する第２の情報記録層１０４を有し、ｔ’≦０．５ｔの関係を有する。【選択図】  図２
2008059618.tif 000002
【特許請求の範囲】
【請求項１】
再生または記録用の光入射面が同一である第１と第２の２つの情報記録層を有した光ディスクにおいて、
前記第１の情報記録層は、光入射表面から略ｔの位置に存在し、
前記第２の情報記録層は、光入射表面から略ｔ’の位置に存在し、
ｔ’≦０．５ｔの関係を有し、
前記第１の情報記録層のデータ容量より、前記第２の情報記録層のデータ容量の方が大きいことを特徴とする光ディスク。
【請求項２】
再生または記録用の光入射面が同一である第１と第２の２つの情報記録層を有した光ディスクにおいて、
前記第１の情報記録層は、光入射表面から略０．６ｍｍの位置に存在し、
前記第２の情報記録層は、光入射表面から略０．１ｍｍの位置に存在することを特徴とする請求項１記載の光ディスク。
【発明の詳細な説明】
【技術分野】
【０００１】
本発明は、２つの情報記録層を備えた光ディスクに関する。
【背景技術】
【０００２】
近年、光ディスクの大容量化の手段として、２層の光ディスクがある。現在、実用化されている２層光ディスクは、各層の容量は同じ容量となっている。たとえば、ＤＶＤ再生専用ディスクでは、２層ディスクとして、８．５ギガバイトのものが規定されているが、各層の容量は、４．２５ギガバイトで等しい（非特許文献１参照）。
【非特許文献１】日本工業規格  ＪＩＳ  Ｘ  ６２４１
【発明の開示】
【発明が解決しようとする課題】
【０００３】
しかしながら、各層の容量が等しい２層ディスクでは、収容するコンテンツに制限が加わってしまう。たとえば、一方の層に映画を標準画質で記録し、もう一方の層に映画を高画質で記録したいというような用途がある。この用途は、同じ映画で標準画質と、高画質の２枚のディスクを作る必要がないというメリットがあり、需要がある。しかし、各層の容量が等しい現在の２層ディスクでは、標準画質で片方の層の容量を全て使い切る映画に対しては、高画質においてそれ以上の容量が必要になり、実現できない。
【０００４】
本発明は、上記問題点に鑑みてなされたものであり、各層に異なる容量を収容できる２層光ディスクを提供することを目的とする。
【課題を解決するための手段】
【０００５】
本発明の光ディスクは、記録または再生用の光入射面が同一である２つの情報記録層を有し、入射面からｔの位置に第１の情報記録層が存在し、入射面からｔ’≦０．５ｔの位置に第２の情報記録層が存在する光ディスクであって、第１の情報記録層の容量よりも、第２の情報記録層の容量の方が大きくできる。これにより、上記目的が達成される。
【発明の効果】
【０００６】
本発明の２層光ディスクによれば、光入射面からｔの位置に第１の情報記録層を配置し、ｔ’≦０．５ｔの位置に第２の情報記録層を配置することにより、第２の情報記録層の再生または記録に、第１の情報記録層に用いる光スポット径より小さい径の光スポットを用いることができるので、第２の情報記録層のデータ容量をより大きく設定することが可能になる。
【発明を実施するための最良の形態】
【０００７】
以下、図面を参照しながら本発明の実施の形態を説明する。
【０００８】
（実施の形態１）
図１は、本発明の実施の形態１の２層光ディスクの構造を示す。
【０００９】
図１において、１０１は基板、１０２は第１の情報記録層、１０３は接着樹脂などのスペース層、１０４は第２の情報記録層、１０５は光透過層、１０６は光入射面である。光入射面１０６からレーザ光を照射し、第１の情報記録層１０２および第２の情報記録層１０４のデータを再生または記録する。
【００１０】
本実施の形態の２層光ディスクにおいては、第１の情報記録層１０２は、光入射面１０６からｔの位置にあり、第２の情報記録層１０４は、光入射面１０６からｔ’の位置にある。ここで、ｔ’≦０．５ｔの関係にある。
【００１１】
このとき、第１の情報記録層１０２を再生、または記録する光ヘッドの光源波長をλ、対物レンズの開口数をＮＡ、第２の情報記録層１０４を再生、または記録する光ヘッドの光源波長をλ’、対物レンズの開口数をＮＡ’とする。
ディスクが傾いたときのコマ収差量を、第１の情報記録層１０２の再生または記録時と、２の情報記録層１０４の再生または記録時とで、等しくなる条件は、
λ’／（ｔ’×（ＮＡ’）３）＝λ／（ｔ×（ＮＡ）３）
と示される。いいかえれば、この条件が満たされれば、第１の情報記録層１０２も第２の情報記録層１０４も同程度の安定性で再生または記録できることになる。
【００１２】
変形すると、
（λ／λ’）×（ＮＡ’／ＮＡ）３＝（ｔ／ｔ’）≧２
となる。
【００１３】
この範囲を図２に斜線で示す。
【００１４】
図２から、λ／λ’＝１．５、ＮＡ’／ＮＡ＝１．５の値をとることが可能である。
【００１５】
一方、形成される光スポットの直径は、光源波長に比例し、ＮＡに反比例するから、第１の情報記録層１０２での光スポット直径をＷ、第２の情報記録層１０４での光スポット直径をＷ’とすれば、
Ｗ  ＝ｋ×λ／ＮＡ、
Ｗ’＝ｋ×λ’／ＮＡ’
と表される。したがって、
Ｗ’／Ｗ＝（λ’／λ）×（ＮＡ／ＮＡ’）＝０．４４
となり、第２の情報記録層１０４での光スポット直径がより小さくなる。光スポット直径が小さいと、再生または記録できるピット径もより小さくなる。これにより、第２の情報記録層には、第１の情報記録層よりも多くのピットを収容することができる。すなわち、第２の情報記録層のデータ容量を第１の情報記録層のデータ容量より大きくできる。
【００１６】
また、たとえば、ｔ＝０．６ｍｍ、ｔ’＝０．１ｍｍと設定することができるが、このとき、第１の情報記録層はＤＶＤプレーヤで再生でき、第２の情報記録層はＢＤプレーヤで再生できることになり、異なるフォーマットのプレーヤの両方で再生できるという、新しい効果も発生する。
【００１７】
また、以上の実施の形態では、第１の情報記録層と第２の情報記録層は、各々１層としたが、複数の同じ容量層で構成される、第１の情報記録層群、第２の情報記録層群であっても良い。
【００１８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００１９】
本発明の２層光ディスクによれば、光入射面からｔの位置に第１の情報記録層を配置し、ｔ’≦０．５ｔの位置に第２の情報記録層を配置することにより、第２の情報記録層の再生または記録に、第１の情報記録層に用いる光スポット径より小さい径の光スポットを用いることができるので、第２の情報記録層のデータ容量をより大きく設定することが可能になる。
【図面の簡単な説明】
【００２０】
【図１】本発明の実施の形態１の光ディスクの構造を示す図である。
【図２】第１の情報記録層に用いられる光源波長および開口数と、第２の情報記録層に用いられる光源波長および開口数との関係を示すグラフである。
【符号の説明】
【００２１】
１０１  基板
１０２  第１の情報記録層
１０３  スペース層
１０４  第２の情報記録層
１０５  光透過層
１０６  光入射面
【図１】
2008059618.tif 000003
【図２】
2008059618.tif 000004